(57)【要約】【課題】継合部を固着させないで済む継合式釣竿を提供する。【解決手段】大径竿杆１０に小径竿杆１２を並継式又は逆並継式に継ぎ合わせる継合部を有する継合式釣竿であって、大径竿杆継合部の内周に大径環状凹部１０Ｋを設け、継合状態で前記凹部に対面する位置であって小径竿杆継合部の外周に小径環状凹部１２Ｋを設け、大径環状凹部に配設されており、該両凹部が対面する位置における広がり状態が該両凹部に亘る大きさであって、径方向厚みが大径環状凹部の深さ以下の寸法であり、弾性的に径変化の可能なＣリング３０を具備し、Ｃリングの当該継合部側大径竿杆端面１０Ｅに近い側の側面内周縁部３０Ａ、又は小径竿杆の当該継合部側端部１２Ｅの外周縁部１２Ａが面取りされており、Ｃリングの大径竿杆内方側の側面内周縁部３０Ｂ又は小径環状凹部の当該継合部側小径竿杆端面１２Ｅに近い側の壁面１２ＫＢ外周縁部１２ＫＢ’が面取りされているよう構成する。【選択図】図２
2008220265.tif 000002
【特許請求の範囲】
【請求項１】
大径竿杆に小径竿杆を並継式又は逆並継式に継ぎ合わせる継合部を有する継合式釣竿であって、
大径竿杆継合部の内周に大径環状凹部を設け、継合状態で前記凹部に対面する位置であって小径竿杆継合部の外周に小径環状凹部を設け、
大径環状凹部に配設されており、該大径環状凹部と前記小径環状凹部とが対面する位置における広がり状態が該両凹部に亘る大きさであって、径方向厚みが大径環状凹部の深さ以下の寸法であり、弾性的に径変化の可能なＣリングを具備し、
Ｃリングの当該継合部側大径竿杆端面に近い側の側面内周縁部、又は小径竿杆の当該継合部側端部の外周縁部が面取りされており、
Ｃリングの大径竿杆内方側の側面内周縁部又は小径環状凹部の当該継合部側小径竿杆端面に近い側の壁面外周縁部が面取りされている
ことを特徴とする継合式釣竿。
【請求項２】
大径竿杆に小径竿杆を並継式又は逆並継式に継ぎ合わせる継合部を有する継合式釣竿であって、
大径竿杆継合部の内周に大径環状凹部を設け、継合状態で前記凹部に対面する位置であって小径竿杆継合部の外周に小径環状凹部を設け、
小径環状凹部に配設されており、該小径環状凹部と前記大径環状凹部とが対面する位置における広がり状態が該両凹部に亘る大きさであって、径方向厚みが小径環状凹部の深さ以下の寸法であり、弾性的に径変化の可能なＣリングを具備し、
Ｃリングの当該継合部側小径竿杆端面に近い側の側面外周縁部、又は大径竿杆の当該継合部側端部の内周縁部が面取りされており、
Ｃリングの前記小径竿杆端面から遠い側の側面外周縁部又は大径環状凹部の当該継合部側大径竿杆端面に近い側の壁面内周縁部が面取りされている
ことを特徴とする継合式釣竿。
【請求項３】
大径竿杆に小径竿杆を振出式に継ぎ合わせる継合部を有する継合式釣竿であって、
大径竿杆継合部の内周に大径環状凹部を設け、継合状態で前記凹部に対面する位置であって小径竿杆継合部の外周に小径環状凹部を設け、
大径環状凹部に配設されており、該大径環状凹部と前記小径環状凹部とが対面する位置における広がり状態が該両凹部に亘る大きさであって、径方向厚みが大径環状凹部の深さ以下の寸法であり、弾性的に径変化の可能なＣリングを具備し、
Ｃリングの前面内周縁部又は小径環状凹部の前壁面外周縁部が面取りされている
ことを特徴とする継合式釣竿。
【請求項４】
大径竿杆に小径竿杆を振出式に継ぎ合わせる継合部を有する継合式釣竿であって、
大径竿杆継合部の内周に大径環状凹部を設け、継合状態で前記凹部に対面する位置であって小径竿杆継合部の外周に小径環状凹部を設け、
小径環状凹部に配設されており、該小径環状凹部と前記大径環状凹部とが対面する位置における広がり状態が該両凹部に亘る大きさであって、径方向厚みが小径環状凹部の深さ以下の寸法であり、弾性的に径変化の可能なＣリングを具備し、
Ｃリングの後面外周縁部又は大径環状凹部の後壁面内周縁部が面取りされている
ことを特徴とする継合式釣竿。
【発明の詳細な説明】
【技術分野】
【０００１】
本発明は、継合方式を問わず各種継合式釣竿に関する。
【背景技術】
【０００２】
小径竿杆と大径竿杆とを継ぎ合わせる形態として、下記特許文献１には特殊な構造が開示されている。小径と大径の継合部としては振出式ではあるが、振り出した状態での連結構造はネジ部の螺合構造を使用し、強固な連結としている。
【特許文献１】特開平１１−０７５６３４号公報
【発明の開示】
【発明が解決しようとする課題】
【０００３】
振出式では引出した量により、又その他の並継等では継合部への挿入量によって、各継合部における嵌合力が異なる。この嵌合力が異なると、竿杆を収納したり抜き取ったりする際の操作力が変わる。特に、振出式では引出し過ぎた場合、並継等では挿入し過ぎた場合に、継合部が固着することがある。
依って解決しようとする課題は、継合部を固着させないで済む継合式釣竿を提供することである。
また、固着防止のために引出し長さや挿入量を規定する場合、視認によらないで規定可能な規定手段を提供する。
【課題を解決するための手段】
【０００４】
第１の発明では、大径竿杆に小径竿杆を並継式又は逆並継式に継ぎ合わせる継合部を有する継合式釣竿であって、大径竿杆継合部の内周に大径環状凹部を設け、継合状態で前記凹部に対面する位置であって小径竿杆継合部の外周に小径環状凹部を設け、大径環状凹部に配設されており、該大径環状凹部と前記小径環状凹部とが対面する位置における広がり状態が該両凹部に亘る大きさであって、径方向厚みが大径環状凹部の深さ以下の寸法であり、弾性的に径変化の可能なＣリングを具備し、Ｃリングの当該継合部側大径竿杆端面に近い側の側面内周縁部、又は小径竿杆の当該継合部側端部の外周縁部が面取りされており、Ｃリングの大径竿杆内方側の側面内周縁部又は小径環状凹部の当該継合部側小径竿杆端面に近い側の壁面外周縁部が面取りされていることを特徴とする継合式釣竿を提供する。
【０００５】
第２の発明では、大径竿杆に小径竿杆を並継式又は逆並継式に継ぎ合わせる継合部を有する継合式釣竿であって、大径竿杆継合部の内周に大径環状凹部を設け、継合状態で前記凹部に対面する位置であって小径竿杆継合部の外周に小径環状凹部を設け、小径環状凹部に配設されており、該小径環状凹部と前記大径環状凹部とが対面する位置における広がり状態が該両凹部に亘る大きさであって、径方向厚みが小径環状凹部の深さ以下の寸法であり、弾性的に径変化の可能なＣリングを具備し、Ｃリングの当該継合部側小径竿杆端面に近い側の側面外周縁部、又は大径竿杆の当該継合部側端部の内周縁部が面取りされており、Ｃリングの前記小径竿杆端面から遠い側の側面外周縁部又は大径環状凹部の当該継合部側大径竿杆端部に近い側の壁面内周縁部が面取りされていることを特徴とする継合式釣竿を提供する。
【０００６】
第３の発明では、大径竿杆に小径竿杆を振出式に継ぎ合わせる継合部を有する継合式釣竿であって、大径竿杆継合部の内周に大径環状凹部を設け、継合状態で前記凹部に対面する位置であって小径竿杆継合部の外周に小径環状凹部を設け、大径環状凹部に配設されており、該大径環状凹部と前記小径環状凹部とが対面する位置における広がり状態が該両凹部に亘る大きさであって、径方向厚みが大径環状凹部の深さ以下の寸法であり、弾性的に径変化の可能なＣリングを具備し、Ｃリングの前面内周縁部又は小径環状凹部の前壁面外周縁部が面取りされていることを特徴とする継合式釣竿を提供する。
【０００７】
第４の発明では、大径竿杆に小径竿杆を振出式に継ぎ合わせる継合部を有する継合式釣竿であって、大径竿杆継合部の内周に大径環状凹部を設け、継合状態で前記凹部に対面する位置であって小径竿杆継合部の外周に小径環状凹部を設け、小径環状凹部に配設されており、該小径環状凹部と前記大径環状凹部とが対面する位置における広がり状態が該両凹部に亘る大きさであって、径方向厚みが小径環状凹部の深さ以下の寸法であり、弾性的に径変化の可能なＣリングを具備し、Ｃリングの後面外周縁部又は大径環状凹部の後壁面内周縁部が面取りされていることを特徴とする継合式釣竿を提供する。
【発明の効果】
【０００８】
第１の発明では、Ｃリングの広がり状態が対面した両凹部に亘る大きさであるため、継ぎ合わせのため小径竿杆を挿入すると、その端面がＣリングの側面に当接する。一方、Ｃリングの当該継合部側大径竿杆端面に近い側の側面内周縁部、又は小径竿杆の当該継合部側端部の外周縁部が面取りされていると共に、Ｃリングは弾性的に径変化が可能であるため、当該面取り部によってＣリングが拡径させられる。ここで、Ｃリングの径方向厚みが大径環状凹部の深さ以下の寸法であるため、拡径させられたＣリングは大径環状凹部内に収まる。このため、更に小径竿杆を挿入できる。やがて、両凹部が対面する位置に来れば、拡径させられていたＣリングの拡径力が無くなるか小さくなって縮径する。両凹部が対面する位置でのＣリングの広がり状態が両凹部に亘る大きさであるため、Ｃリングは小径環状凹部内にも侵入する。この際のＣリングの弾力的な縮径時に、音、振動、又は挿入力の変化として耳や継ぎ合わせ操作中の手の指に伝わって両環状凹部が対面する位置に来たことが判り、両竿杆の継ぎ合わせのための挿入量を規定することができる。
一方、継ぎ合わせを解除する場合は、継合力以上の力で小径竿杆を引けば、Ｃリングの大径竿杆内方側の側面内周縁部又は小径環状凹部の当該継合部側小径竿杆端面に近い側の壁面外周縁部が面取りされているため、当該面取り部によってＣリングが拡径させられて大径環状凹部内に収まる。従って、そのまま小径竿杆を引き出し、抜き取ることができる。
【０００９】
第１の発明はＣリングが大径竿杆の大径環状凹部に残る場合であるが、第２の発明は、Ｃリングが小径竿杆の小径環状凹部に残る場合である。この相違はあるが、作用説明は第１の発明の説明から容易に類推可能故、省略する。
【００１０】
第３の発明は振出式継合の場合であって、Ｃリングが大径竿杆の大径環状凹部に残る場合である。作用説明は第１の発明の説明から容易に類推可能故、省略する。
【００１１】
第４の発明は振出式継合の場合であって、Ｃリングが小径竿杆の小径環状凹部に残る場合である。作用説明は第１の発明の説明から容易に類推可能故、省略する。
【発明を実施するための最良の形態】
【００１２】
以下、本発明を図面を参照しつつ詳細に説明する。図１は本発明に係る継合式釣竿の側面図である。図２は図１の所定部の継合部構造の拡大説明図、図３は図２の要部拡大図である。図１の釣竿は、竿杆１０，１２，１４，１６を継ぎ合わせて形成されている。この継ぎ合わせの構造として並継式を採用した場合の継合につき、図２と図３を参照して説明する。
【００１３】
大径竿杆１０の前端１０Ｅから適宜距離内方に入った位置の継合部内周には深さ１０ＫＴを有する大径環状凹部１０Ｋが形成されている。また、小径竿杆１２の継合部の外周であって、継合状態で前記大径環状凹部と対面する位置に小径環状凹部１２Ｋが形成されている。大径環状凹部には、厚さが３０Ｔのばね鋼製Ｃリング３０が配設されている。Ｃリングの無負荷である通常時の拡径状態は図２、図３に図示している通りであり、その径方向の厚みは、大径環状凹部に入ると共に、ここから竿中心側にもはみ出し、継ぎ合わせた場合、小径環状凹部にも入り込む。
【００１４】
また、当該継合部側の大径竿杆端面１０Ｅに近い側のＣリングの側面内周縁部が面取り部３０Ａに形成されている。更には、Ｃリングの大径竿杆内方側の側面内周縁部が面取り部３０Ｂに形成されている。従って、小径竿杆１２を大径竿杆１０内に挿入する場合に、小径竿杆後端面１２Ｅの外周縁部がＣリングの前記面取り部３０Ａと干渉し、Ｃリングを拡径させる。Ｃリングの厚さ３０Ｔは大径環状凹部１０Ｋの深さ１０ＫＴの寸法以下に構成しているため、Ｃリングは大径環状凹部１０Ｋに入り込む。従って、小径竿杆は挿入を続行できる。
【００１５】
やがて、図２の（ｂ）に図示するような、両凹部１０Ｋと１２Ｋとが対面する位置に来ると、Ｃリングは拡径状態から再び通常状態に戻り、両凹部に亘る広がり状態となる。これによって小径竿杆１２の挿入深さが決まる。この位置が操作者に判るのは、ばね鋼製Ｃリングが通常状態に戻る際の弾力性縮径変形が音、振動、挿入力変化として耳や継ぎ合わせ操作中の手の指に伝わるからである。
この両環状凹部１０Ｋ，１２Ｋが対面する位置は、本願発明工夫の無い大径竿杆１０と小径竿杆１２とが継ぎ合わせられた場合に、通常の（設計上の）継合力（嵌合力）を生ずる位置に設定している。他の形態例の場合も同様である。
【００１６】
上記継ぎ合わせを解除する場合は、継ぎ合わせ力を上回る力で小径竿杆１２を引き抜けば、小径環状凹部１２Ｋの当該継合部側の小径竿杆端面１２Ｅに近い側の壁面１２ＫＢの外周縁部がＣリングの前記面取り部３０Ｂに干渉し、Ｃリングを拡径させて大径環状凹部内に押し込む。これにより、小径竿杆の引き出し作業が継続できて完全に取り外せる。
【００１７】
上記Ｃリングにおける面取り部３０Ａに代えて又はこれと共に、小径竿杆１２の当該継合部側端部の外周縁部、即ち、後端面１２Ｅの外周縁部に面取り部１２Ａを形成してもよい。また、Ｃリングにおける面取り部３０Ｂに代えて又はこれと共に、小径環状凹部の当該継合部側小径竿杆端面１２Ｅに近い側の壁面１２ＫＢの外周縁部に面取り部１２ＫＢ’を形成してもよい。
上記図２の例では、（ｂ）に図示する位置では、Ｃリング３０は小径環状凹部１２Ｋの底面を押圧しない無負荷状態の広がり状態であるが、この小径環状凹部の底面を押圧する状態になる寸法形態にしても良い。即ち、小径環状凹部の深さは図２（ｂ）に示すよりも浅くて、Ｃリングの内周面に当接するようにしてもよい。
【００１８】
図４と図５は図２と図３に対応する図であり、並継式継ぎ合わせ構造の説明図であるが、Ｃリング３０が小径竿杆の小径環状凹部１２Ｋに配設されることが異なる。異なる事項を主体に説明し、その他の事項は同様である。Ｃリングの当該継合部側小径竿杆端面１２Ｅに近い側の側面外周縁部が面取り部３０Ｄに形成され、Ｃリングの前記小径竿杆端面１２Ｅから遠い側の側面外周縁部も面取り部３０Ｃに形成されている。
【００１９】
従って、小径竿杆１２を大径竿杆１０に挿入する際、途中でその継合部の小径環状凹部１２Ｋに配設されたＣリング３０が大径竿杆１０の前端１０Ｅに当接するが、前記面取り部３０Ｄの作用でＣリングは縮径する。Ｃリングの厚さ３０Ｔは小径環状凹部１２Ｋの深さ１２ＫＴ以下であるため、Ｃリングは小径環状凹部に収まり、続けて大径竿杆に挿入できる。その結果、図４の（ｂ）のようになり、継ぎ合わせ位置が規定される。
【００２０】
小径竿杆を引き出す際には、Ｃリングの面取り部３０Ｃの作用でＣリングは縮径されて小径環状凹部に収まり、その結果、引き出せる。
Ｃリングにおける面取り部３０Ｄに代えて又はこれと共に、大径竿杆１０の当該継合部側端部の内周縁部、即ち、前端面１０Ｅの内周縁部に面取り部１０Ｄを形成してもよい。また、Ｃリングにおける面取り部３０Ｃに代えて又はこれと共に、大径環状凹部の当該継合部側大径竿杆端面１０Ｅに近い側の壁面１０ＫＣの外周縁部に面取り部１０ＫＣ’を形成してもよい。
【００２１】
上記図４の例では、（ｂ）に図示する位置では、Ｃリング３０は大径環状凹部１０Ｋの底面を押圧しない無負荷状態の広がり状態であるが、この大径環状凹部の底面を押圧する状態となる寸法形態にしても良い。即ち、大径環状凹部の深さは図４に示すよりも浅くて、Ｃリングの外周面に当接するようにしてもよい。
図２と図４では、小径竿杆１２を前側とした並継式継合構造であったが、小径竿杆１２を後側の竿杆とすれば、逆並継式の継合構造となる。
【００２２】
図６は図２〜図５の例とは異なり、継ぎ合わせ構造として振出式を使用した場合の継合部構造の拡大説明図である。大径竿杆１０の継合部内周に大径環状凹部１０Ｋを設けており、対応する小径竿杆の継合部外周には小径環状凹部１２Ｋを設けている。Ｃリング３０の無負荷である通常時の広がり状態は、そのＣリングの厚さが大径環状凹部に入ると共に、ここから竿中心側にもはみ出し、継ぎ合わせた場合、小径環状凹部にも入り込む状態となる。また、Ｃリング３０の厚さ３０Ｔは大径環状凹部１０Ｋの深さ１０ＫＴ以下であるため、小径竿杆１２を振り出す際には、Ｃリングは拡径させられて該凹部に入り邪魔にはならない。振り出しに際してやがて小径環状凹部１２Ｋが前記大径環状凹部１０Ｋに対面する位置まで来ると、Ｃリング３０の拡径力が開放されて無負荷である通常時の広がり状態に戻る。即ち、（ｂ）の状態になる。
【００２３】
Ｃリング３０の前面内周縁部には面取り部３０Ａを形成している。このため、小径竿杆の収納時には、小径環状凹部の前壁面１２ＫＡの外周縁部がこの面取り部３０Ａに干渉し、Ｃリングを拡径させて大径環状凹部内に押し込む。これにより収納できる。この面取り部３０Ａに代わって、又はこれと共に、前記前壁面１２ＫＡの外周縁部に面取り部１２ＫＡ’を設けてもよい。
上記図６の例では、（ｂ）に図示する位置では、Ｃリング３０は小径環状凹部１２Ｋの底面を押圧しない無負荷状態の広がり状態になるが、この小径環状凹部の底面を押圧する状態となる寸法形態にしても良い。即ち、小径環状凹部の深さは図６に示すよりも浅くて、Ｃリングの内周面に当接するようにしてもよい。
【００２４】
図７の例は、図６に対応する図であり、振出式継ぎ合わせ構造の説明図であるが、Ｃリング３０が小径竿杆の小径環状凹部１２Ｋに配設されることが異なる。Ｃリング３０の無負荷である通常時の広がり状態は、そのＣリングの厚さが小径環状凹部に入ると共に、ここから径方向外側にもはみ出し、継ぎ合わせた場合、大径環状凹部にも入り込む状態となる。また、Ｃリング３０の厚さ３０Ｔは小径環状凹部１２Ｋの深さ１２ＫＴ以下であるため、小径竿杆１２を振り出す際には、大径竿杆内周面によって縮径させられて該凹部に入り邪魔にはならない。振り出しに際してやがて小径環状凹部１２Ｋが大径環状凹部１０Ｋに対面する位置まで来ると、Ｃリング３０の縮径力が開放されて無負荷である通常時の広がり状態に戻る。即ち、（ｂ）の状態になる。
【００２５】
Ｃリング３０の後面外周縁部には面取り部３０Ｄを形成している。このため、小径竿杆の収納時には、大径環状凹部の後壁面１０ＫＤの内周縁部がこの面取り部３０Ｄに干渉し、Ｃリングを縮径させて小径環状凹部内に押し込む。これにより収納できる。この面取り部３０Ｄに代わって、又はこれと共に、前記後壁面１０ＫＤの内周縁部に面取り部１０ＫＤ’を設けてもよい。
上記図７の例では、（ｂ）に図示する位置では、Ｃリング３０は大径環状凹部１０Ｋの底面を押圧しない無負荷状態の広がり状態であるが、この大径環状凹部の底面を押圧する状態となる寸法形態にしても良い。即ち、大径環状凹部の深さは図７に示すよりも浅くて、Ｃリングの外周面に当接するようにしてもよい。
【産業上の利用可能性】
【００２６】
本発明は、各種継合式釣竿に利用できる。
【図面の簡単な説明】
【００２７】
【図１】図１は本発明に係る継合式釣竿の側面図である。
【図２】図２は図１の所定部の継合部構造の拡大説明図である。
【図３】図３は図２の要部拡大図である。
【図４】図４は図２に対応する他の形態例説明図である。
【図５】図５は図３に対応する他の形態例の要部拡大図である。
【図６】図６は振出式継合部構造の拡大説明図である。
【図７】図７は図６に対応する他の形態例説明図である。
【符号の説明】
【００２８】
１０                    大径竿杆
１０Ｋ                  大径環状凹部
１２                    小径竿杆
１２Ｋ                  小径環状凹部
３０                    Ｃリング
【図１】
2008220265.tif 000003
【図２】
2008220265.tif 000004
【図３】
2008220265.tif 000005
【図４】
2008220265.tif 000006
【図５】
2008220265.tif 000007
【図６】
2008220265.tif 000008
【図７】
2008220265.tif 000009